【手続補正書】
【提出日】平成17年12月16日(2005.12.16)
【手続補正１】
【補正対象書類名】明細書
【補正対象項目名】発明の名称
【補正方法】変更
【補正の内容】
【発明の名称】情報処理装置及びその制御方法、媒体、並びに制御プログラム
【手続補正２】
【補正対象書類名】明細書
【補正対象項目名】特許請求の範囲
【補正方法】変更
【補正の内容】
【特許請求の範囲】
【請求項１】  転送した画像データの転送先情報を作成して装置本体が有する記憶手段に記憶する転送先情報作成手段を有することを特徴とする情報処理装置。
【請求項２】  前記転送先情報を外部に通知することが可能な転送先情報表示手段と、前記転送先情報表示手段を用いて、撮像した画像の表示を指定する画像指定手段と、
前記画像指定手段によって指定された転送先情報を基に、転送済みの画像を表示する画像表示手段とを備えたことを特徴とする請求項１に記載の情報処理装置。
【請求項３】  第１の記憶手段と、画像データを蓄積する第２の記憶手段とを備え、第３の記憶手段に接続して前記画像データを転送する情報処理装置において、
前記第２の記憶手段から前記第３の記憶手段へ前記画像データを転送する時に前記第３の記憶手段における転送先情報を作成して前記第１の記憶手段に記録する転送先情報作成手段を備えたことを特徴とする情報処理装置。
【請求項４】  前記転送先情報を外部に通知することが可能な転送先情報表示手段と、
前記転送先情報表示手段を用いて、撮像した画像の表示を指定する画像指定手段と、
前記画像指定手段によって指定された転送先情報を基に、転送済みの画像を表示する画像表示手段とを備えたことを特徴とする請求項３に記載の情報処理装置。
【請求項５】  前記第１及び第２の記憶手段は、装置本体が有する不揮発性メモリであることを特徴とする請求項３または４に記載の情報処理装置。
【請求項６】  前記第１及び第２の記憶手段は、装置本体に着脱可能な不揮発性メモリであることを特徴とする請求項３または４に記載の情報処理装置。
【請求項７】  前記第２の記憶手段は、装置本体が有する揮発性メモリであることを特徴とする請求項３または４に記載の情報処理装置。
【請求項８】  前記第３の記憶手段は、当該情報処理装置と接続可能な不揮発性メモリであることを特徴とする請求項３乃至７に記載の情報処理装置。
【請求項９】  前記転送先情報作成手段は、転送した画像データのサムネイル画像を作成し、そのサムネイル画像の属性情報に前記第３の記憶手段へ転送した転送先情報を付加することを特徴とする請求項３乃至８に記載の情報処理装置。
【請求項１０】  前記転送先情報表示手段は、再生モード時に前記転送先情報作成手段で作成したサムネイル画像を画面に表示することを特徴とする請求項９に記載の情報処理装置。
【請求項１１】  前記画像指定手段は、前記転送先情報表示手段によって表示した複数枚のサムネイル画像のうち、任意の一枚を選択するポインタを備えたことを特徴とする請求項１０に記載の情報処理装置。
【請求項１２】  前記転送済みの画像を前記第１または前記第２の記憶手段に読み出す画像読み出し手段を有し、前記画像読み出し手段は、前記画像指定手段によって指定したサムネイル画像の属性情報から前記画像データの転送先情報を取得し、その転送先にある画像データを前記第１または前記第２の記憶手段に転送することを特徴とする請求項１１に記載の情報処理装置。
【請求項１３】  前記転送先情報作成手段で作成して前記第３の記憶手段に記憶した転送先情報を消去する転送先情報消去手段を備えたことを特徴とする請求項３乃至１２に記載の情報処理装置。
【請求項１４】  前記転送先情報消去手段は、装置本体が有する記憶手段に記憶した転送先情報を作成日時より所定の時間以上過ぎているかどうかを判定し、所定の時間が過ぎている場合に前記転送先情報を消去することを特徴とする請求項１３に記載の情報処理装置。
【請求項１５】  前記転送先情報消去手段は、前記第３の記憶手段の容量が所定の条件を満たしたときに前記転送先情報の作成日時の古い順から所定の容量だけ消去することを特徴とする請求項１２または１３に記載の情報処理装置。
【請求項１６】  転送した画像データの転送先情報を作成する工程と、
作成した転送先情報を装置本体が有する記憶手段に記憶する工程とを有することを特徴とする情報処理装置の制御方法。
【請求項１７】  前記転送先情報を外部に通知することが可能な転送先情報表示手段を用いて、撮像した画像の表示を指定する画像指定工程と、
前記画像指定工程によって指定された転送先情報を基に、転送済みの画像を表示する画像表示工程とを有することを特徴とする請求項１６に記載の情報処理装置の制御方法。
【請求項１８】  第１の記憶手段と、画像データを蓄積する第２の記憶手段とを備え、第３の記憶手段に接続して前記画像データを転送する情報処理装置の制御方法において、  前記第２の記憶手段から前記第３の記憶手段へ前記画像データを転送する時に前記第３の記憶手段における転送先情報を作成する工程と、
作成した転送先情報を前記第１の記憶手段に記録する工程とを有することを特徴とする情報処理装置の制御方法。
【請求項１９】  転送した画像データの転送先情報を作成するステップと、作成した転送先情報を装置本体が有する記憶手段に記憶するステップとを有するコンピュータ読み取り可能な制御プログラムを提供することを特徴とする媒体。
【請求項２０】  前記コンピュータ読み取り可能な制御プログラムは、
前記転送先情報を外部に通知することが可能な転送先情報表示手段を用いて、撮像した画像の表示を指定する画像指定ステップと、
前記画像指定ステップによって指定された転送先情報を基に、転送済みの画像を表示する画像表示ステップとを有することを特徴とする請求項１９に記載の媒体。
【請求項２１】  第１の記憶手段と、画像データを蓄積する第２の記憶手段とを備え、第３の記憶手段に接続して前記画像データを転送する情報処理装置の制御方法を実行するためにコンピュータで読み取り可能な制御プログラムを提供する媒体であって、
前記制御プログラムは、
前記第２の記憶手段から前記第３の記憶手段へ前記画像データを転送する時に前記第３の記憶手段における転送先情報を作成するステップと、
作成した転送先情報を前記第１の記憶手段に記録するステップとを有することを特徴とする媒体。
【請求項２２】  転送した画像データの転送先情報を作成するステップと、
作成した転送先情報を装置本体が有する記憶手段に記憶するステップとを有することを特徴とするコンピュータ読み取り可能な制御プログラム。
【請求項２３】  前記転送先情報を外部に通知することが可能な転送先情報表示手段を用いて、撮像した画像の表示を指定する画像指定ステップと、
前記画像指定ステップによって指定された転送先情報を基に、転送済みの画像を表示する画像表示ステップとを有することを特徴とする請求項２２に記載のコンピュータ読み取り可能な制御プログラム。
【請求項２４】  第１の記憶手段と、画像データを蓄積する第２の記憶手段とを備え、第３の記憶手段に接続して前記画像データを転送する情報処理装置の制御方法を実行するための、コンピュータで読み取り可能な制御プログラムであって、
前記第２の記憶手段から前記第３の記憶手段へ前記画像データを転送する時に前記第３の記憶手段における転送先情報を作成するステップと、
作成した転送先情報を前記第１の記憶手段に記録するステップとを有することを特徴とするコンピュータ読み取り可能な制御プログラム。
【手続補正３】
【補正対象書類名】明細書
【補正対象項目名】０００１
【補正方法】変更
【補正の内容】
【０００１】
【発明の属する技術分野】
本発明は、デジタルカメラ等の情報処理装置及びその制御方法、前記制御方法を実行するためのコンピュータ読み取り可能な制御プログラムを記憶した媒体、並びに前記制御プログラムに関する。
【手続補正４】
【補正対象書類名】明細書
【補正対象項目名】００１４
【補正方法】変更
【補正の内容】
【００１４】
本発明は上記従来の問題点に鑑み、外部の記録装置に撮像した画像データを転送する際にその転送先情報を記録し、再生時にその転送先情報を基に、ユーザーが明示的に指定することなく自動的に画像データをダウンロードすることのできる情報処理装置及びその制御方法、媒体、並びに制御プログラムを提供することを目的とする。
【手続補正５】
【補正対象書類名】明細書
【補正対象項目名】００１５
【補正方法】変更
【補正の内容】
【００１５】
【課題を解決するための手段】
上記目的を達成するために、本発明の情報処理装置は、転送した画像データの転送先情報を作成して装置本体が有する記憶手段に記憶する転送先情報作成手段を有することを特徴とする。
また、本発明の情報処理装置は、第１の記憶手段と、画像データを蓄積する第２の記憶手段とを備え、第３の記憶手段に接続して前記画像データを転送する情報処理装置において、前記第２の記憶手段から前記第３の記憶手段へ前記画像データを転送する時に前記第３の記憶手段における転送先情報を作成して前記第１の記憶手段に記録する転送先情報作成手段を備えたことを特徴とする。
また、本発明の情報処理装置の制御方法は、転送した画像データの転送先情報を作成する工程と、作成した転送先情報を装置本体が有する記憶手段に記憶する工程とを有することを特徴とする。
また、本発明の情報処理装置の制御方法は、第１の記憶手段と、画像データを蓄積する第２の記憶手段とを備え、第３の記憶手段に接続して前記画像データを転送する情報処理装置の制御方法において、  前記第２の記憶手段から前記第３の記憶手段へ前記画像データを転送する時に前記第３の記憶手段における転送先情報を作成する工程と、作成した転送先情報を前記第１の記憶手段に記録する工程とを有することを特徴とする。
また、本発明の媒体は、転送した画像データの転送先情報を作成するステップと、作成した転送先情報を装置本体が有する記憶手段に記憶するステップとを有するコンピュータ読み取り可能な制御プログラムを提供することを特徴とする。
また、本発明の媒体は、第１の記憶手段と、画像データを蓄積する第２の記憶手段とを備え、第３の記憶手段に接続して前記画像データを転送する情報処理装置の制御方法を実行するためにコンピュータで読み取り可能な制御プログラムを提供する媒体であって、前記制御プログラムは、前記第２の記憶手段から前記第３の記憶手段へ前記画像データを転送する時に前記第３の記憶手段における転送先情報を作成するステップと、作成した転送先情報を前記第１の記憶手段に記録するステップとを有することを特徴とする。
また、本発明のコンピュータ読み取り可能な制御プログラムは、転送した画像データの転送先情報を作成するステップと、作成した転送先情報を装置本体が有する記憶手段に記憶するステップとを有することを特徴とする。
また、本発明のコンピュータ読み取り可能な制御プログラムは、第１の記憶手段と、画像データを蓄積する第２の記憶手段とを備え、第３の記憶手段に接続して前記画像データを転送する情報処理装置の制御方法を実行するための、コンピュータで読み取り可能な制御プログラムであって、前記第２の記憶手段から前記第３の記憶手段へ前記画像データを転送する時に前記第３の記憶手段における転送先情報を作成するステップと、作成した転送先情報を前記第１の記憶手段に記録するステップとを有することを特徴とする。
【手続補正６】
【補正対象書類名】明細書
【補正対象項目名】００７２
【補正方法】削除
【補正の内容】
【手続補正７】
【補正対象書類名】明細書
【補正対象項目名】００７３
【補正方法】削除
【補正の内容】
【手続補正８】
【補正対象書類名】明細書
【補正対象項目名】００７４
【補正方法】削除
【補正の内容】
【手続補正９】
【補正対象書類名】明細書
【補正対象項目名】００７５
【補正方法】削除
【補正の内容】
【手続補正１０】
【補正対象書類名】明細書
【補正対象項目名】００７６
【補正方法】削除
【補正の内容】
【手続補正１１】
【補正対象書類名】明細書
【補正対象項目名】００７７
【補正方法】削除
【補正の内容】
【手続補正１２】
【補正対象書類名】明細書
【補正対象項目名】００７８
【補正方法】削除
【補正の内容】
【手続補正１３】
【補正対象書類名】明細書
【補正対象項目名】００７９
【補正方法】削除
【補正の内容】
【手続補正１４】
【補正対象書類名】明細書
【補正対象項目名】００８０
【補正方法】削除
【補正の内容】
【手続補正１５】
【補正対象書類名】明細書
【補正対象項目名】００８１
【補正方法】削除
【補正の内容】
【手続補正１６】
【補正対象書類名】明細書
【補正対象項目名】００８２
【補正方法】削除
【補正の内容】
【手続補正１７】
【補正対象書類名】明細書
【補正対象項目名】００８３
【補正方法】削除
【補正の内容】
【手続補正１８】
【補正対象書類名】明細書
【補正対象項目名】００８４
【補正方法】削除
【補正の内容】
【手続補正１９】
【補正対象書類名】明細書
【補正対象項目名】００８５
【補正方法】削除
【補正の内容】
【手続補正２０】
【補正対象書類名】明細書
【補正対象項目名】００８６
【補正方法】削除
【補正の内容】
【手続補正２１】
【補正対象書類名】明細書
【補正対象項目名】００８７
【補正方法】削除
【補正の内容】
【手続補正２２】
【補正対象書類名】明細書
【補正対象項目名】００８８
【補正方法】削除
【補正の内容】
【手続補正２３】
【補正対象書類名】明細書
【補正対象項目名】００８９
【補正方法】削除
【補正の内容】
【手続補正２４】
【補正対象書類名】明細書
【補正対象項目名】００９０
【補正方法】削除
【補正の内容】
【手続補正２５】
【補正対象書類名】明細書
【補正対象項目名】００９１
【補正方法】削除
【補正の内容】
【手続補正２６】
【補正対象書類名】明細書
【補正対象項目名】００９２
【補正方法】削除
【補正の内容】
【手続補正２７】
【補正対象書類名】明細書
【補正対象項目名】００９３
【補正方法】削除
【補正の内容】
【手続補正２８】
【補正対象書類名】明細書
【補正対象項目名】００９４
【補正方法】削除
【補正の内容】
【手続補正２９】
【補正対象書類名】明細書
【補正対象項目名】００９５
【補正方法】削除
【補正の内容】
【手続補正３０】
【補正対象書類名】明細書
【補正対象項目名】００９６
【補正方法】削除
【補正の内容】